(57)【特許請求の範囲】
【請求項１】
絶縁樹脂材より成るケース本体一側に互いの干渉が規制された一対のねじりコイルばねを直列に配設すると共に、これらねじりコイルばねの力点側腕をそれぞれコイル巻方向にほぼ沿わせて前記ケース本体の他側へ延出させて該一方のねじりコイルばねの力点側腕の先端部を前記ケース本体の他側上部に昇降自在に配設された押釦の押圧面に下方から弾接させると共に、他方のねじりコイルばねの力点側腕の先端部を前記一方のねじりコイルばねの力点側腕の先端部と基端部との間で且つ基端部寄りに下方から弾接させ、前記ケース本体の一側底面に前記一方のねじりコイルばねが常時接触する固定接点を配設し、他側底面に一方のねじりコイルばねの力点側腕の当接により前記固定接点と電気的に導通する固定接点を配設したことを特徴とする押釦スイッチ。
【発明の詳細な説明】
【０００１】
【発明の属する技術分野】
本発明は押釦スイッチに関するものであり、特に、二つのねじりコイルばねによって固定接点を開閉する押釦スイッチに関するものである。
【０００２】
【従来の技術】
従来、この種の押釦スイッチ１は、図３に示すように、押釦２を付勢しているコイルばね３の一端を可動接点４とし、この可動接点４をスイッチ本体５の内周壁面に突設している突部６に摺動させながら突部６の下方で該突部６の表面と同じ平面内に設けてある固定接点７に摺動接触させて可動接点４と固定接点７とを電気的に導電させるようにしたものが知られている。
【０００３】
しかし、ねじりコイルばねは、引っ張りコイルばね、圧縮コイルばねとは異なって、捩じりモーメントを受けるものであるため、一個のねじりコイルばねでエネルギを吸収するには、ばね素線径を太く、又、コイル内径（コイル有効径）を大きくせざるを得ず、スイッチ全体の小型化に貢献できないという問題がある。
【０００４】
【発明が解決しようとする課題】
そこで図４に示すように、押釦スイッチ１ａとして二個のねじりコイルばね８，９を互いにＬ字形に配置してこれらねじりコイルばね８，９の力点側の腕８ａ，８ｂを上下に重ね合わせ、そして図示しない押釦でこれら力点側の腕１０，１１同士の交点を上方から押し下げるよう構成し、ばね一個当たりの負担を軽減するものを想定できるが、このように構成すれば、ばねの設置面積が増し、スイッチが大型化してしまい、また、力点側の腕のねじりストロークも長く設定することができないので、押釦の操作力を一定の軽荷重まで軽減することができないという問題がある。
【０００５】
そこで、小型でしかも押釦の操作を軽減し得る押釦スイッチを提供するために解決すべき技術的課題が生じてくるのであり、本発明はこの課題を解決することを目的とする。
【０００６】
【課題を解決するための手段】
本発明は上記目的を達成するために提案されたものであり、絶縁樹脂材より成るケース本体一側に互いに干渉が規制された一対のねじりコイルばねを直列に配設すると共に、これらねじりコイルばねの力点側腕をそれぞれコイル巻方向にほぼ沿わせて前記ケース本体の他側側へ延出させて該一方のねじりコイルばねの力点側腕の先端部を前記ケース本体の他側上部に昇降自在に配設された押釦の押圧面に下方から弾接させると共に、他方のねじりコイルばねの力点側腕先端部を前記一方のねじりコイルばねの力点側腕の先端部と基端部との間で且つ基端部寄りに下方から弾接させ、前記ケース本体の一側底面に前記一方のねじりコイルばねが常時接触する固定接点を配設し、他側底面に一方のねじりコイルばねの力点側腕の当接により前記固定接点と電気的に導通する固定接点を配設した押釦スイッチを提供するものである。
【０００７】
【発明の実施の形態】
以下、本発明の一実施の形態を図１及び図２に従って詳述する。
図１は押釦スイッチの内部構造を示す一部切開斜見図であり、同図において押釦スイッチ１２のケース本体１３は絶縁性樹脂材により上面が開口する箱状に形成されている。そしてこのケース本体１３の開口部は樹脂材より成るカバー１４で閉鎖されて内部に収容室１５を形成している。そして該収容室１５はケース本体１３の一側ほぼ中央に形成された仕切壁１６により左側ばね室１７と左側ばね室１８とに分割され、該右側ばね室１７には仕切壁１６の一側面１６ａとこれに対向するケース本体内面２０とに両端部を支持させて介装される第一ねじりコイルばね２１が配設され、左側ばね室１９には、前記仕切壁１６の他側面１６ｂとこれに対向するケース本体内面２３とに両端部を支持させて介装される第二ねじりコイルばね２４が配設される。そして、これら第一及び第二ねじりコイルばね２１，２４は、それぞれケース本体１３の一側底面を窪ませて形成してある凹部２５，２６にそれぞれ係合され、この係合により前後左右への移動が規制されている。
【０００８】
さらにこれらの第一ねじりコイルばね２１及び第二ねじりコイルばね２４の力点側の腕２７，２８はそれぞれ前記ケース本体１３の一側よりコイル巻方向に沿って他側側へ延びていて、第一ねじりコイルばね２１の力点側の腕２７は、前記カバー１３の他側に設けられた押釦案内部２９に昇降自在に設けられている押釦３０の押圧面３１と下方から弾接して、押釦３０の下降に応じた弾発力を蓄積するよう構成され、また、第二ねじりコイルばね２４の力点側の腕２８は前記ケース本体１３の他側側へ適宜延びた後、前記第一ねじりコイルばね２１の力点側の腕２７の下方でＬ字状に折り曲げられ、その折り曲げられた先端部３２で前記第一ねじりコイルばね２１の力点側の腕２７を下方から支持するよう構成され、この第二ねじりコイルばね２４のねじりにより、第１コイルねじりコイルばね２１に作用する荷重を分担する構成となっている。
【０００９】
従って係る構成では、この第一ねじりコイルばね２１の力点側の腕２７に対する第二ねじりコイルばね２４の支持点Ｘを、第一ねじりコイルばね２１の力点側の腕２７の先端部３３側から可能な限り基端部寄りに設定して押釦２８の操作力をできるだけ軽減するのが望ましい。
【００１０】
そしてこの場合に、好ましくは、第二ねじりコイルばね２４を係合する凹部２５の高さを第一ねじりコイルばね２１を係合する凹部２６の高さよりも高く設定して、第一ねじりコイルばね２１の力点側の腕２７と第二ねじりコイルばね２４の力点側の腕２８との接触ポイント、すなわち、前記支持点Ｘを前記押釦３０の押し下げに応じて、その腕先端部３３側より腕基端部側へ移動させるように構成すれば、一定の軽荷重で押し下げることができる範囲を広げることができ、押圧力の変化による押釦操作の違和感を排除することができる。
【００１１】
そして係る構成において、図１に示す如く前記ケース本体１３の一側底面に前記第一ねじりコイルばね２０と接触するよう第一導電板３４をインサートし、さらに、ケース本体１３の他側底面に第一ねじりコイルばね２１の力点側の腕２７と当接するよう第二導電板３５をインサートし、この第二導電板３５に第一ねじりコイルばね２１の力点側の腕２７の先端部３３を当接させるよう構成すると、押釦３０を押下げて第二導電板３５に第一ねじりコイルばね２１の力点側の腕２７の先端部３３を当接させるのみで、第一導電板３４と第二導電板３５とを電気的に導通させることができる。
【００１２】
なお、前記第一導電板３４及び第二導電板３５に一体に形成してある端子（図示せず）はそれぞれケース本体１３より外部に突出しており、前記押釦案内部２９は前記押釦３０を昇降自在に案内し得るよう両端が開口する筒状に形成され、そして前記押釦３０はその下部がケース本体１３外への抜け出しが規制し得るよう径方向外方に拡径されている。
【００１３】
次に、本実施形態に係る押釦スイッチの作用を図１及び図２を参照して詳述する。
図１、図２において、押釦３０が押し下げられると、この押釦３０の押圧面３１に下方から弾接している第一ねじりコイルばね２１の力点側の腕２７は仕切壁１６の一側面１６ａを摺動案内面としてケース本体１３の他側底面側、すなわち、第二導電板３４側へ押し下げられる。
【００１４】
押釦３０の押下げが進み、第一ねじりコイルばね２１のみならず、第二ねじりコイルばね２４がねじられると、第一ねじりコイルばね２１の力点側の腕２７にに対する第二ねじりコイルばね２４の力点側の腕２８の支持点Ｘが第一ねじりコイルばね２１の力点側の腕２７の先端部３３側から基端部側へと移動する。このため、一定の軽荷重で押釦２８を押し下げることができる。
【００１５】
押し下げが進み、第一ねじりコイルばね２１の力点側の腕２７の先端部３３がケース本体１３の他側底面に埋設してある第二導電板３５に当接すると、第一導電板３４と第二導電板３５とが電気的に導通してスイッチＯＮとなる。
【００１６】
次に、押釦３０の押圧力を解除すると第一及び第二ねじりコイルばね２１，２４は前記押釦３０の押圧時に蓄えた弾発力で復元し、それぞれ前記仕切壁１６の両側面１９，２２に沿って復元する。
【００１７】
この捩じり状態の復元により第二ねじりコイルばね２４の力点側の腕２８が第二導電板３５から離脱して、スイッチＯＦＦとなる。そして第一ねじりコイルばね２１の復元力により、押釦２８は押し込み前の元の位置に復帰する。
【００１８】
尚、本実施形態の説明にあっては、前記仕切壁１６をケース本体１３と一体に形成して各ねじりコイルばね２１，２４同士の短絡を防ぎ、且つその力点側の腕２７，２８同士の干渉を防止するよう構成しているが、短絡を防ぐには仕切壁１６の両側面１９，２２にそれぞれコーティング又は接着等の被覆により絶縁材の皮膜を形成すれば良く、又、仕切壁１６のずれを防ぐには仕切壁１６をケース本体１３に対して接着、又は一体モールドすれば良い。
【００１９】
尚、本発明は、本発明の精神を逸脱しない限り種々の改変を為すことができ、そして、本発明が該改変されたものに及ぶことは当然である。
【００２０】
【発明の効果】
以上、本発明の一実施の形態に詳述したように絶縁樹脂材より成るケース本体一側に互いに干渉が規制された一対のねじりコイルばねを直列に配設すると共に、これらねじりコイルばねの力点側腕をそれぞれコイル巻方向にほぼ沿わせて前記ケース本体の他側側へ延出させて該一方のねじりコイルばねの力点側腕の先端部を前記ケース本体の他側上部に昇降自在に配設された押釦の押圧面に下方から弾接させると共に、他方のねじりコイルばねの力点側腕先端部を前記一方のねじりコイルばねの力点側腕の先端部と基端部との間で且つ基端部側に下方から弾接させるよう構成したので、ばねの小型化とねじりストロークの拡大とを両立でき、小型でしかも釦操作の軽い押釦スイッチを提供できる。そして各ねじりコイルばねの力点側腕をコイル巻き方向に延出するように構成すると、加工性を大幅に改善でき、大幅なコストダウンを達成できるという優れた効果を発揮する。
【図面の簡単な説明】
【図１】本発明の一実施の形態に係る押釦スイッチの一部切開斜視図である。
【図２】本発明に係るねじりコイルばねのねじり状態の変化を示す断面図である。
【図３】従来の押釦スイッチを示す図であり、図３（ａ）は平面図、図３（ｂ）は図３（ａ）のＡ−Ａ線断面矢視図である。
【図４】従来の押釦スイッチを示す平面図である。
【符号の説明】
１３  ケース本体
３０  押釦
１６  仕切壁
２１  第一ねじりコイルばね（一方のねじりコイルばね）
２４  第二ねじりコイルばね（他方のねじりコイルばね）
２７  第一ねじりコイルばねの力点側の腕
２８  第二ねじりコイルばねの力点側の腕
３０  押釦
３１  押圧面
３３  第一ねじりコイルばねの力点側のうでの先端部
３４  第一導電板（固定接点）
３５  第二導電板（固定接点）
Ｘ  支持点（接触ポイント）
【図１】
0003820736.tif 000002
【図２】
0003820736.tif 000003
【図３】
0003820736.tif 000004
【図４】
0003820736.tif 000005